(57)【要約】      （修正有）【課題】電気治療作用波形信号を無線通信で送信する無線制御式電気治療装置を提供する。【解決手段】無線制御式電気治療装置は、信号発生機構と、信号発生機構に接続する治療信号発送機構とを含む無線設定器１と、無線設定器と分離されていて、治療信号受信機構と、治療信号変換機構と、出力機構を含む電気治療器２と、を含み、信号発生機構は異なる電気治療オプションＯ１〜Ｏ３により設定された電気治療基本波形信号を無線通信で送信し、治療信号受信機構が無線通信で治療信号発送機構に接続することにより電気治療基本波形信号が受信され、治療信号変換機構が治療信号受信機構に接続して電気治療基本波形信号を電圧電流増幅で電気治療作用波形信号に変換し、出力機構が治療信号変換機構に接続して電気治療作用波形信号を人体接触部材から人体部位に送り出し、作用させる。【選択図】図１
0003203629.tif 000002
【実用新案登録請求の範囲】
【請求項１】
無線制御式電気治療装置であって、
信号発生機構と、前記信号発生機構に接続する治療信号発送機構とを含む無線設定器と、
前記無線設定器と分離されていて、治療信号受信機構と、治療信号変換機構と、出力機構とを含む電気治療器と、を含み、
前記信号発生機構には異なる電気治療オプションにより設定された電気治療基本波形信号を無線通信で送信され、前記治療信号受信機構が無線通信で前記治療信号発送機構に信号接続することにより前記電気治療基本波形信号が受信され、前記治療信号変換機構が前記治療信号受信機構に接続することにより前記電気治療基本波形信号が電圧電流増幅で電気治療作用波形信号に変換され、前記出力機構が前記治療信号変換機構に接続することにより前記電気治療作用波形信号を前記出力機構の人体接触部材から人体部位に送り出し、作用させることを特徴とする無線制御式電気治療装置。
【請求項２】
前記治療信号変換機構がさらにアナログ／デジタル変換器と、信号増幅器と、を含み、前記電気治療基本波形信号が前記アナログ／デジタル変換器に変換することにより前記電気治療作用波形信号が変換され、これによって、前記電気治療作用波形信号の電圧を前記電気治療基本波形信号の電圧より大きくさせおよび／または前記電気治療作用波形信号の電流を前記電気治療基本波形信号の電流より大きくさせることを特徴とする請求項１に記載の無線制御式電気治療装置。
【請求項３】
前記アナログ／デジタル変換器がＰＷＭ変換器であることを特徴とする請求項２に記載の無線制御式電気治療装置。
【請求項４】
前記無線設定器がさらに外部操作機構を含み、操作者が前記外部操作機構を操作することにより前記電気治療オプションを設定し、前記信号発生機構が設定された前記電気治療オプションにより前記電気治療オプションと対応する電気治療基本波形信号が発生することを特徴とする請求項１に記載の無線制御式電気治療装置。
【請求項５】
前記電気治療オプションがさらに電圧／電流調整オプションと、周波数調整オプションと、治療部位及び波形オプションを備えることを特徴とする請求項１に記載の無線制御式電気治療装置。
【請求項６】
前記電気治療基本波形信号の周波数がＤＣから１００ｋＨｚであることを特徴とする請求項１に記載の無線制御式電気治療装置。
【請求項７】
前記前記無線通信がブルートゥース（登録商標）であることを特徴とする請求項１に記載の無線制御式電気治療装置。
【考案の詳細な説明】
【技術分野】
【０００１】
本考案は電気治療器に関するものであって、特に無線制御式電気治療装置に関するものである。
【背景技術】
【０００２】
物理療法、運動マッサージなど様々な治療用途のために、低周波電流を身体の特定部位に流す電気治療器は、痛みを和らげ、経穴の刺激、筋収縮および血流の循環などの効果をもたらすことができる。
【０００３】
従来の電気治療器は、スマートフォンで電気治療機を制御することによって電気治療を行うものであった。スマートフォンの制御信号が、制御ケーブルを介して電気治療機に発送され、電気治療機が制御信号の指示によって電気治療波形信号を発生させる。ところが、上記のような電気治療器の制御ケーブルは、治療時にその制御ケーブルの取扱いに細心の注意を払う必要があり、不用意に制御伝送線を引っ張ると、制御ケーブルがスマートフォンから離れてしまうことがあった。
【考案の概要】
【考案が解決しようとする課題】
【０００４】
本考案は、上記問題点に鑑みてなされたものであって、無線制御式電気治療装置を提供することを目的とする。
【課題を解決するための手段】
【０００５】
上記目的を達成するために、本考案が提供する無線制御式電気治療装置は、信号発生機構と、前記信号発生機構に接続する治療信号発送機構とを含む無線設定器と、前記無線設定器と分離されていて、治療信号受信機構と、治療信号変換機構と、出力機構を含む電気治療器と、を含み、前記信号発生機構には異なる電気治療オプションにより設定された電気治療基本波形信号を無線通信で送信され、前記治療信号受信機構が無線通信で前記治療信号発送機構に信号接続することにより前記電気治療基本波形信号が受信され、前記治療信号変換機構が前記治療信号受信機構に接続することにより前記電気治療基本波形信号が電圧電流増幅で電気治療作用波形信号に変換され、前記出力機構が前記治療信号変換機構に接続することにより前記電気治療作用波形信号を前記出力機構の人体接触部材から人体部位に送り出し、作用させることを特徴とするものである。
【０００６】
本考案の一態様として、前記治療信号変換機構がさらにアナログ／デジタル変換器と、信号増幅器を含み、前記電気治療基本波形信号が前記アナログ／デジタル変換器に変換することにより前記電気治療作用波形信号が変換され、これによって、前記電気治療作用波形信号の電圧を前記電気治療基本波形信号の電圧より大きくさせおよび／または前記電気治療作用波形信号の電流を前記電気治療基本波形信号の電流より大きくさせることが好ましい。
【０００７】
本考案の一態様として、前記アナログ／デジタル変換器がＰＷＭ変換器であることが好ましい。
【０００８】
本考案の一態様として、前記無線設定器がさらに外部操作機構を含み、操作者が前記外部操作機構を操作することにより前記電気治療オプションを設定し、前記信号発生機構が設定された前記電気治療オプションにより前記電気治療オプションと対応する電気治療基本波形信号が発生することが好ましい。
【０００９】
本考案の一態様として、前記電気治療オプションがさらに電圧／電流調整オプションと、周波数調整オプションと、治療部位及び波形オプションを備えることが好ましい。
【００１０】
本考案の一態様として、前記電気治療基本波形信号の周波数がＤＣから１００ｋＨｚであることが好ましい。
【００１１】
本考案の一態様として、前記前記無線通信がブルートゥース（登録商標）であることが好ましい。
【考案の効果】
【００１２】
以上のように、本考案の無線制御式電気治療装置によれば、前記無線設定器は無線通信で信号を発送することで、様々な有線送信により引き起こされる制限を取り除くことができる。その他、人体部位に作用する電気治療作用波形信号が無線設定器により発生するため、電気治療器に電気治療作用波形信号を発生させる信号発生機構を設置する必要が無いので、電気治療器の小型化を図ることができる。これによって、使用者が簡単に電気治療器を持ち運びができ、さらに電気治療器を身体に装着することができる。
【図面の簡単な説明】
【００１３】
【図１】本考案の実施例の無線制御式電気治療装置を示す図である。
【図２】本考案の実施例の無線制御式電気治療装置のブロック図である。
【考案を実施するための形態】
【００１４】
以下は図１〜図２に基いて、本考案の実施形態について説明する。該当説明は本考案の実施形態の一つの例示にすぎず、本発明の実施形態を限定するものではない。
【００１５】
図１及び図２が示すように、本考案の無線制御式電気治療装置１００は、信号発生機構１１と、前記信号発生機構１１に接続する治療信号発送機構１２とを含む無線設定器１と、前記無線設定器１と分離されていて、治療信号受信機構２１と、治療信号変換機構２２と、出力機構２３とを含む電気治療器２と、を含み、前記信号発生機構１１には異なる電気治療オプションＯにより設定された電気治療基本波形信号Ｂを無線通信で送信し、前記治療信号受信機構２１が無線通信で前記治療信号発送機構１２に信号接続することにより前記電気治療基本波形信号Ｂが受信され、前記治療信号変換機構２２が前記治療信号受信機構２１に接続することにより前記電気治療基本波形信号Ｂが電圧電流増幅で電気治療作用波形信号Ｅに変換され、前記出力機構２３が前記治療信号変換機構２２に接続することにより前記電気治療作用波形信号Ｅを前記出力機構２３の人体接触部材２３１から人体部位に送り出し、作用させる。
【００１６】
上記の構成において、前記無線設定器１が携帯電話、タブレットパソコンなどのスマートモバイルデバイスである。前記無線設定器１がアプリケーションプログラム（ＡＰＰ）で操作者に操作インターフェースを提供し、これによって、操作者が前記無線設定器１の外部操作機構１３を通じて操作インターフェースの前記電気治療オプションＯを設定できる。
【００１７】
図１が示すように、本考案の無線制御式電気治療装置１００によれば、前記外部操作機構１３がタッチパネルであって、操作者はこのタッチパネルにより電圧／電流調整オプションＯ１、周波数調整オプションＯ２、治療部位と波形オプションＯ３などの電気治療オプションＯを選定する。当然本考案がこれに限定はされず、前記外部操作機構１３がスマートモバイルデバイスの押しボタンであってもよい。
【００１８】
前記信号発生機構１１が操作者から選定された電気治療オプションＯによって、前記電気治療オプションＯと対応する前記電気治療基本波形信号Ｂが発生する。前記電気治療基本波形信号Ｂの周波数がＤＣから１００ｋＨｚである。前記周波数調整オプションＯ２は操作者に低周波数または中周波数の電気治療選択を提供する。低周波に対応する周波数範囲はＤＣから１ｋＨｚあって、中周波に対応する周波数範囲は１ｋＨｚから１００ｋＨｚである。電圧／電流調整オプションＯ１が操作者に前記電気治療基本波形信号Ｂの電圧強度およびまたは電流強度の選択を提供する。本実施形態において、電圧／電流調整オプションＯ１が操縦レバーに通じて調整するオプションであって、これによって、操作者が自由に予定の最小から最大の連続範囲内で電圧およびまたは電流を調整することができる。治療部位と波形オプションＯ３により前記電気治療基本波形信号Ｂの選定部位に適した波形を決定する。
【００１９】
本実施例においては、前記信号発生機構１１から発生した前記電気治療基本波形信号Ｂがブルートゥース（登録商標）の無線通信で前記治療信号発送機構１２から前記電気治療器２の前記治療信号受信機構２１に発送し、これにより有線送信により引き起こされる制限を取り除くことができる。当然本考案はこれに限定されず、前記無線通信がＺｉｇｂｅｅ（登録商標）、Ｗｉ−Ｆｉ（登録商標）などであってもよい。
【００２０】
図２が示すように、本考案の無線制御式電気治療装置１００によれば、前記治療信号変換機構２２が前記治療信号受信機構２１から受け取った前記電気治療基本波形信号Ｂの電圧およびまたは電流を大きくさせることにより、もともとデータ発送基準範囲内の前記電気治療基本波形信号Ｂを電気治療機基準範囲内に身体で電気治療効果がある電気治療作用波形信号Ｅに変換される。本実施例においては、前記治療信号変換機構２２がアナログ／デジタル変換器２２１及び信号増幅器２２２を含む。前記アナログ／デジタル変換器２２１により前記電気治療基本波形信号Ｂをデジタル信号からアナログ信号を変換させる。具体的には、前記アナログ／デジタル変換器２２１はＰＷＭ変換器であるが、これにより前記電気治療基本波形信号Ｂをパルス幅変調モードでアナログ信号に変調させ、それから前記信号増幅器２２２で電圧およびまたは電流を大きくさせて電気治療作用波形信号Ｅに変換させる。また、前記アナログ／デジタル変換器２２１及び前記信号増幅器２２２の間にローパスフィルタ（不図示）を設置してもよく、これにより高周波信号を濾過する。
【００２１】
図１及び図２が示すように、本考案の無線制御式電気治療装置１００は、前記出力機構２３のケーブル及び人体接触部材２３１により前記電気治療作用波形信号Ｅを人体部位に作用させる。具体的には、人体接触部材２３１が電極パッチであり、人体の電気治療部位に貼り付けて電気治療作用波形信号Ｅを出力させる。当然本考案はこれに限定されず、前記出力機構２３がケーブルを省略してもよい。直接小型の電気治療器２を前記電極パッチによって人体の電気治療部位に貼り付けて、さらにケーブルにより引き起こされる制限を取り除く。
【００２２】
以上のように、本考案の無線制御式電気治療装置１００によれば、無線通信で前記無線設定器１から信号を前記電気治療器２に発送することで、様々な有線送信により引き起こされる制限を取り除くことができる。その他、人体部位に作用する電気治療作用波形信号が無線設定器１により発生するため、電気治療器２に電気治療作用波形信号を発生する信号発生機構を設置する必要が無いので、電気治療器２の小型化を図ることができる。これによって、使用者が簡単に電気治療器２の持ち運びができ、さらに電気治療器２を身体に装着することができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の実用新案登録請求の範囲は、このような調節や修正を含めて広く解釈されるべきである。
【符号の説明】
【００２４】
１００  無線制御式電気治療装置
１  無線設定器
１１  信号発生機構
１２  治療信号発送機構
１３  外部操作機構
２  電気治療器
２１  治療信号受信機構
２２  治療信号変換機構
２２１  アナログ／デジタル変換器
２２２  信号増幅器
２３  出力機構
２３１  人体接触部材
Ｂ  電気治療基本波形信号
Ｅ  電気治療作用波形信号
Ｏ  電気治療オプション
Ｏ１  電圧／電流調整オプション
Ｏ２  周波数調整オプション
Ｏ３  治療部位と波形オプション
【図１】
0003203629.tif 000003
【図２】
0003203629.tif 000004